(57)【要約】  【課題】  リクエストしたジョブデータの処理タイミングが一目瞭然で認識可能なジョブ進捗状況表示装置及びその方法を提供する。  【解決手段】  スプール処理される複数のジョブデータのジョブ進捗状況を表示するジョブ進捗状況表示装置であって、ジョブデータのジョブ進捗状況を進捗表示バーとして表示する進捗表示バー表示手段１１を備え、前記進捗表示バー表示手段１１が、前記ジョブデータの実行順序及び前記ジョブデータの容量を認識可能なように分割表示する。【選択図】  図１
2006350674.tif 000002
【特許請求の範囲】
【請求項１】
スプール処理される複数のジョブデータのジョブ進捗状況を表示するジョブ進捗状況表示装置であって、
ジョブデータのジョブ進捗状況を進捗表示バーとして表示する進捗表示バー表示手段を備え、前記進捗表示バー表示手段が、前記ジョブデータの実行順序及び前記ジョブデータの容量を認識可能なように分割表示するジョブ進捗状況表示装置
【請求項２】
前記進捗表示バーの所定の分割領域に対してマーカ表示する領域マーカ表示手段を備えた請求項１に記載のジョブ進捗状況表示装置
【請求項３】
前記マーカ表示手段が、複数の分割領域に対してマーカを表示する際に、前記マーカが互いに異なるマーカとなるように調整する請求項２に記載のジョブ進捗状況表示装置。
【請求項４】
デスプールされているジョブデータに対応する前記進捗表示バーの分割領域に対してマーカを表示するデスプールマーカ表示手段を備えた請求項１から３の何れかに記載のジョブ進捗状況表示装置
【請求項５】
指定された前記進捗表示バーの分割領域に対応するジョブデータの属性を表示する簡易属性表示手段を備えた請求項１から４の何れかに記載のジョブ進捗状況表示装置。
【請求項６】
削除指定されたジョブデータの属性を表示する詳細属性表示手段を備えた請求項１から５の何れかに記載のジョブ進捗状況表示装置。
【請求項７】
スプール処理される複数のジョブデータのジョブ進捗状況を表示するジョブ進捗状況表示方法であって、
前記ジョブデータの実行順序及び前記ジョブデータの容量を認識可能なように分割表示した進捗表示バーを表示するジョブ進捗状況表示方法。
【請求項８】
前記進捗表示バーの所定の分割領域に対してマーカ表示する請求項７に記載のジョブ進捗状況表示方法
【請求項９】
複数の分割領域に対してマーカを表示する際に、前記マーカが互いに異なるマーカとなるように調整する請求項８に記載のジョブ進捗状況表示方法。
【請求項１０】
デスプールされているジョブデータに対応する前記進捗表示バーの分割領域に対してマーカを表示する請求項７から９の何れかに記載のジョブ進捗状況表示方法
【請求項１１】
指定された前記進捗表示バーの分割領域に対応するジョブデータの属性を表示する請求項７から１０の何れかに記載のジョブ進捗状況表示方法。
【請求項１２】
削除指定されたジョブデータの属性を表示する請求項７から１１の何れかに記載のジョブ進捗状況表示方法。
【発明の詳細な説明】
【技術分野】
【０００１】
本発明は、スプール処理される複数のジョブデータのジョブ進捗状況を表示するジョブ進捗状況表示装置及びその方法に関する。
【背景技術】
【０００２】
近年のプリンタや、複写機、ファクシミリ、並びにこれらの複合機を含む画像処理装置は、ローカルユーザインターフェース（ローカルＵＩ）とリモートユーザインターフェース（以下、単に「リモートＵＩ」と記す）を備えることにより、画像処理装置本体からの操作はもとより、情報処理装置（ホストＰＣ）からのリモート操作により画像出力等を行なうことが可能となっている。
【０００３】
しかし、これらの画像処理装置は、一般的にマイクロプロセッサの演算処理速度に比べ、画像出力にかかる時間が圧倒的に遅いため、ジョブデータを一時的にハードディスク等に記憶し、画像の出力状況に応じて少しずつ前記ジョブデータを処理するといったスプール処理が行なわれている。
【特許文献１】特開平２００３−１０３８４５号公報
【発明の開示】
【発明が解決しようとする課題】
【０００４】
前記スプール処理では、前記画像処理装置は、当該画像処理装置や複数の情報処理装置から入力される複数のジョブデータを一時的にハードディスク等に記憶し、各ジョブデータを順次デスプールすることとなるが、例えば、特許文献１に示すように、デスプールが開始されたジョブデータのジョブ実行状況を示すような手段は提案されているものの、当該画像処理装置や複数の情報処理装置の各ユーザが、各ユーザのリクエストしたジョブデータが何れのタイミングで処理されることとなるか、一目瞭然で認識可能とする手段がこれまでにはなく、非常に不便であることが問題となっていた。
【０００５】
本発明の目的は、上述した従来の問題点に鑑み、リクエストしたジョブデータの処理タイミングが一目瞭然で認識可能なジョブ進捗状況表示装置及びその方法を提供する点にある。
【課題を解決するための手段】
【０００６】
上述の目的を達成するため、本発明によるジョブ進捗状況表示装置の第一の特徴構成は、特許請求の範囲の書類の請求項１に記載した通り、スプール処理される複数のジョブデータのジョブ進捗状況を表示するジョブ進捗状況表示装置であって、ジョブデータのジョブ進捗状況を進捗表示バーとして表示する進捗表示バー表示手段を備え、前記進捗表示バー表示手段が、前記ジョブデータの実行順序及び前記ジョブデータの容量を認識可能なように分割表示する点にある。
【０００７】
上述の構成とすることにより、ユーザは、前記ジョブデータの実行順序及び前記ジョブデータの容量に基づいて、それぞれのジョブデータの処理タイミングを一目瞭然で認識できるようになるのである。つまり、ジョブデータの処理タイミングが一目瞭然で認識可能なジョブ進捗状況表示装置とすることができるのである。
【０００８】
同第二の特徴構成は、同請求項２に記載した通り、上述の第一の特徴構成に加えて、前記進捗表示バーの所定の分割領域に対してマーカ表示する領域マーカ表示手段を備えた点にある。
【０００９】
上述の構成とすることにより、例えば、前記領域マーカ表示手段が、特定のユーザがリクエストしたジョブデータにのみマーカ表示すれば、前記特定のユーザは、リクエストしたジョブデータの処理タイミングを一目瞭然で認識できるようになるのである。つまり、リクエストしたジョブデータの処理タイミングが一目瞭然で認識可能なジョブ進捗状況表示装置とすることができるのである。
【００１０】
同第三の特徴構成は、同請求項３に記載した通り、上述の第二の特徴構成に加えて、前記マーカ表示手段が、複数の分割領域に対してマーカを表示する際に、前記マーカが互いに異なるマーカとなるように調整する点にあり、同じマーカが表示されることにより発生する認識対象ジョブデータの誤認を防止することができるのである。
【００１１】
同第四の特徴構成は、同請求項４に記載した通り、上述の第一から第三の何れかの特徴構成に加えて、デスプールされているジョブデータに対応する前記進捗表示バーの分割領域に対してマーカを表示するデスプールマーカ表示手段を備えた点にある。
【００１２】
上述の構成とすることにより、ユーザは、デスプールされているジョブデータに対応する分割領域を容易に認識することができ、前記デスプールされているジョブデータに対応する分割領域からのジョブデータの実行順序に基づいて、リクエストしたジョブデータの処理タイミングを一目瞭然で認識できるようになるのである。
【００１３】
同第五の特徴構成は、同請求項５に記載した通り、上述の第一から第四の何れかの特徴構成に加えて、指定された前記進捗表示バーの分割領域に対応するジョブデータの属性を表示する簡易属性表示手段を備えた点にあり、ユーザは、夫々の分割領域に対応するジョブデータを容易に確認することができるのである。
【００１４】
同第六の特徴構成は、同請求項６に記載した通り、上述の第一から第五の何れかの特徴構成に加えて、削除指定されたジョブデータの属性を表示する詳細属性表示手段を備えた点にあり、ユーザは、ジョブデータを削除する前に前記ジョブデータの内容を確認することができるとともに、前記ジョブデータを誤削除することを防止することができるのである。
【００１５】
上述の目的を達成するため、本発明によるジョブ進捗状況表示方法の第一の特徴構成は、同請求項７に記載した通り、スプール処理される複数のジョブデータのジョブ進捗状況を表示するジョブ進捗状況表示方法であって、前記ジョブデータの実行順序及び前記ジョブデータの容量を認識可能なように分割表示した進捗表示バーを表示する点にある。
【００１６】
同第二の特徴構成は、同請求項８に記載した通り、上述の第一の特徴構成に加えて、前記進捗表示バーの所定の分割領域に対してマーカ表示する点にある。
【００１７】
同第三の特徴構成は、同請求項９に記載した通り、上述の第二の特徴構成に加えて、複数の分割領域に対してマーカを表示する際に、前記マーカが互いに異なるマーカとなるように調整する点にある。
【００１８】
同第四の特徴構成は、同請求項１０に記載した通り、上述の第一から第三の何れかの特徴構成に加えて、デスプールされているジョブデータに対応する前記進捗表示バーの分割領域に対してマーカを表示する点にある。
【００１９】
同第五の特徴構成は、同請求項１１に記載した通り、上述の第一から第四の何れかの特徴構成に加えて、指定された前記進捗表示バーの分割領域に対応するジョブデータの属性を表示する点にある。
【００２０】
同第六の特徴構成は、同請求項１２に記載した通り、上述の第一から第五の何れかの特徴構成に加えて、削除指定されたジョブデータの属性を表示する点にある。
【発明の効果】
【００２１】
以上説明した通り、本発明によれば、リクエストしたジョブデータの処理タイミングが一目瞭然で認識可能なジョブ進捗状況表示装置及びその方法を提供することができるようになった。
【発明を実施するための最良の形態】
【００２２】
以下に本発明によるジョブ進捗状況表示装置及びその方法を画像処理システムに適用した場合の実施形態について説明する。前記画像処理システムの全体の構成は、図２に示すように、画像処理装置としてのデジタル複写機１とリモートＵＩを備える複数の、例えば三台の情報処理装置８ａ、８ｂ、８ｃ（外部機器）とがＬＡＮ９などのネットワーク伝送手段によって接続されている。
【００２３】
前記デジタル複写機１は、図３に示すように、ローカルＵＩを備えた操作表示手段７と、画像情報を入力する画像情報入力手段２と、前記画像情報入力手段２により入力された画像情報と前記操作表示手段７からの操作指示に基づいてジョブデータを生成するジョブデータ生成手段４と、前記ジョブデータ生成手段４により生成されたジョブデータや前記ＬＡＮ９を介して前記各情報処理装置８ａ、８ｂ、８ｃから入力されてくるジョブデータをストレージデバイス３に記憶させ前記ジョブデータを順次デスプールするといった後述のスプール処理を実行するスプール処理手段６と、前記スプール処理されるジョブデータに基づいて所定の画像形成処理を実行する画像処理手段５とを備えて構成されている。尚、各制御ブロックには、マイクロコンピュータ、ＲＯＭ、ＲＡＭ、出力ドライバ回路、入力バッファ回路などを備えてなる制御ボードが実装されている。
【００２４】
前記画像情報入力手段２は、コンタクトガラス２ａ上に配置された自動原稿搬送装置２ｂと、自動原稿搬送装置２ｂによりコンタクトガラス２ａ上に給送された原稿を読取走査する露光ランプ２ｃ及び原稿からの反射光を反射する第１ミラー２ｄを備えた第１スライダー２Ａと、第１ミラー２ｄによって反射された光を集光レンズ２ｇに導くための第２及び第３ミラー２ｅ、２ｆを備えた第２スライダー２Ｂと、集光レンズ２ｇからの光情報を電気信号に変換する固体撮像素子２ｈと、固体撮像素子２ｈの出力信号を画像情報としてのデジタルデータに変換する量子化処理、ノイズ除去処理、圧縮処理などを行なう入力画像処理部２ｉにより構成されている。
【００２５】
前記画像処理手段５は、画像形成部と記録紙搬送部を備えて構成され、前記画像形成部は、図示しないメイン駆動モータによって矢印の方向に回転駆動される感光体ドラム５ａ周囲に、その回転方向の順に、感光体ドラム５ａの表面の感光層を帯電させる帯電器５ｂ、感光層上に形成された静電潜像をトナー顕像として顕像化する現像装置５ｃ、感光層上に形成されたトナー顕像を記録紙に転写する転写用放電器５ｄ、感光体ドラム５ａから記録紙を分離するための分離用放電器５ｅ、転写後の感光体ドラム５ａ上に残留しているトナーを除去するクリーニング装置５ｆ及び感光体ドラム５ａ表面の電荷を除去する除電器５ｇを配置して構成され、帯電器５ｂにより一様に帯電された感光層に、前記ストレージデバイス３から読み出され伸張処理の後にビットマップメモリ５ｉに展開された前記ジョブデータに基づいてレーザユニット５ｈから出力されるレーザ光が照射されて静電潜像が形成され、前記現像装置５ｃによりトナー像が形成される。
【００２６】
前記記録紙搬送部は、給紙カセット５ｎ内の記録紙を給紙する給紙ローラ５ｊと、給紙ローラ５ｊによって送られてきた記録紙を所定のタイミングで感光体ドラム５ａに搬送するためのレジストローラ５ｋ及び感光体ドラム５ａ上に形成されたトナー顕像が転写されかつ感光体ドラム５ａから剥離された記録紙を定着ローラ５ｍまで搬送する搬送ベルト５ｌを備えている。定着ローラ５ｍによって定着処理された記録紙は、図示しない排出機構を介して排出トレイ上に排出される。
【００２７】
以下、前記スプール処理手段６におけるスプール処理について図４のフローチャートに基づいて説明する。前記情報処理装置８ａから前記デジタル複写機１に向けジョブデータが出力され当該デジタル複写機１が前記ジョブデータを入力すると（ＳＡ１）、または、当該デジタル複写機１におけるジョブデータ生成部４によりジョブデータが生成されると（ＳＡ２）、前記スプール処理手段６は、スプール処理を開始する。
【００２８】
つまり、前記ストレージデバイス３に前記ジョブデータを記憶させ（ＳＡ３）、前記ストレージデバイス３に記憶させたジョブデータを前記画像処理手段５にデスプールする（ＳＡ４）。
【００２９】
また、前記デスプール中に（ＳＡ５）、他のジョブデータが生成されまたは入力されると（ＳＡ６、ＳＡ７）、前記他のジョブデータを前記ストレージデバイス３に記憶させておき（ＳＡ３）、前記ジョブデータに対するデスプール終了の後、前記ステレージデバイス３に記憶された順序に従って前記他のジョブデータをデスプールする（ＳＡ８、ＳＡ４）。そして、前記ステレージデバイス３に記憶されているジョブデータに対して全てデスプールが終了した時点で、スプール処理を終了する。
【００３０】
前記画像処理システムにおけるジョブデータのジョブ進捗状況表示にかかる機能ブロック構成は、図１に示すように、前記スプール処理手段６に備えられ、当該スプール処理手段６によりスプール処理される複数のジョブデータのジョブ進捗状況を進捗表示バーとして前記操作表示部７及び前記各情報処理装置８ａ、８ｂ、８ｃに表示する進捗表示バー表示手段１１と、同じく前記スプール処理手段６に備えられ、所定のマーカまたはジョブデータの属性を前記操作表示部７に表示する画像装置側表示手段１２と、前記各情報処理装置８ａ、８ｂ、８ｃに備えられ、所定のマーカまたはジョブデータの属性を前記各情報処理装置８ａ、８ｂ、８ｃに表示するＰＣ側表示手段１３とから構成されている。尚、前記各情報処理装置８ａ、８ｂ、８ｃは、同一構成となっているため、詳細については前記情報処理装置８ａについてのみ説明する。
【００３１】
前記進捗表示バー表示手段１１は、当該スプール処理手段６によりスプール処理される複数のジョブデータの実行順序と前記各ジョブデータの容量を検出し、例えば、図５（ｂ）に示すように、前記各ジョブデータの実行順序に応じて左側から順に前記各ジョブデータの容量に対応した長さのバーとしての分割領域２０ａ、２０ｂ、２０ｃ、２０ｄ等を連結した進捗表示バー２０、つまり、前記ジョブデータの実行順序及び前記ジョブデータの容量が認識可能な進捗表示バー２０と、前記進捗表示バーが表示されている領域を示す進捗表示バーガイド２１とを前記操作表示部７及び前記各情報処理装置８ａ、８ｂ、８ｃに表示するように構成されている。尚、前記進捗表示バー表示手段１１は、前記分割領域毎に、夫々の分割領域に対応する、例えば、前記ジョブデータのファイルネームや、前記ジョブデータを当該デジタル複写機１に入力した入力装置情報としてのデジタル複写機情報または情報処理装置情報、更には、ログインユーザネーム等の情報をスプール情報として記憶するように構成されている。
【００３２】
以下、前記進捗表示バー表示手段１１の動作を図６のフローチャートに基づいて説明する。前記スプール処理手段６がスプール処理を開始すると（ＳＢ１）、前記進捗表示バー表示手段１１は、前記操作表示部７及び前記各情報処理装置８ａ、８ｂ、８ｃに、図５（ａ）に示すように、前記進捗表示バー２０の表示領域を示す進捗表示バーガイド２１と、前記ステレージデバイス３に記憶されたジョブデータの容量に対応する長さの分割領域２０ａからなる進捗表示バー２０を表示する（ＳＢ２）。
【００３３】
また、他のジョブデータが前記ステレージデバイス３に記憶されると（ＳＢ３）、図５（ｂ）に示すように、前記分割領域２０ａの右側に前記他のジョブデータの容量に対応する長さの新たな分割領域、例えば、分割領域２０ｂ、２０ｃ、２０ｄを前記ステレージデバイス３に記憶された順に接続した新たな進捗表示バー２０を表示する（ＳＢ４）。
【００３４】
一単位のジョブデータに対するデスプールが終了すると、例えば、前記分割領域２０ａに対応するジョブデータに対するデスプールが終了すると（ＳＢ５）、前記分割領域２０ａの表示を終了し（ＳＢ６）、他のジョブデータが前記ストレージデバイス３に残っていれば、つまり、スプール処理が終了していなければ（ＳＢ７）、図５（ｃ）に示すように、他の分割領域、例えば、前記分割領域２０ｂ、２０ｃ、２０ｄを順に右側にシフトして表示する（ＳＢ８）。
【００３５】
前記図１に戻り、前記画像装置側表示手段１２は、前記スプール情報に基づいて前記操作表示部７に所定のマーカまたはジョブデータの属性を表示させるもので、前記進捗表示バー表示手段１１により表示された進捗表示バー２０の所定の分割領域に対して所定の領域マーカを表示する第一領域マーカ表示手段１４と、デスプールされているジョブデータに対応する前記進捗表示バー２０の分割領域に対して所定のデスプールマーカを表示する第一デスプールマーカ表示手段１５と、前記操作表示部７を介してユーザにより指定された前記進捗表示バー２０の分割領域に対応するジョブデータの簡易属性を表示する第一簡易属性表示手段１６と、前記操作表示部７を介してユーザにより削除指定されたジョブデータの詳細属性を表示する第一詳細属性表示手段１７とを備えて構成されている。
【００３６】
前記第一領域マーカ表示手段１４は、前記操作表示部７に表示されている前記進捗表示バー２０における当該デジタル複写機１により生成されたジョブデータに対応する分割領域、例えば、前記分割領域２０ｃが当該デジタル複写機１により生成されたジョブデータに対応する分割領域であれば、前記分割領域２０ｃに重ねて所定の領域マーカを表示するもので、例えば、図７（ａ）に示すように、前記分割領域２０ｃに重ねて領域マーカとしての特定色を表示するように構成されている。
【００３７】
前記第一デスプールマーカ表示手段１５は、前記操作表示部７に表示されている前記進捗表示バー２０における当該スプール処理手段６により現在デスプールされているジョブデータに対応する分割領域、例えば、前記分割領域２０ａが現在デスプールされているジョブデータに対応する分割領域であれば、前記分割領域２０ａに重ねて所定のデスプールマーカを表示するもので、例えば、図７（ｂ）に示すように、前記分割領域２０ａが点滅して視認されるように前記分割領域２０ａ上に重ねてデスプールマーカを表示するように構成されている。
【００３８】
前記第一簡易属性表示手段１６は、前記操作表示部７を介してユーザにより指定された前記進捗表示バー２０の分割領域に対応するジョブデータの簡易属性を前記操作表示部７に表示するもので、例えば、図７（ｃ）に示すように、吹き出しにより当該ジョブデータのファイルネームを表示するように構成されている。
【００３９】
前記第一詳細属性表示手段１７は、前記操作表示部７を介してユーザにより削除指定されたジョブデータの詳細属性を前記操作表示部７に表示するもので、例えば、当該ジョブデータのファイルネームや、当該ジョブデータを当該デジタル複写機１に入力した入力装置情報としてのデジタル複写機情報または情報処理装置情報、更には、ログインユーザネーム等を表示するように構成されている。
【００４０】
以下、前記画像装置側表示手段１２の動作について図８のフローチャートに基づいて説明する。前記進捗表示バー２０が前記操作表示部７に表示されると（ＳＣ１）、前記第一デスプールマーカ表示手段１５は、前記操作表示部７に表示されている前記進捗表示バー２０における当該スプール処理手段６により現在デスプールされているジョブデータに対応する分割領域が点滅して視認されるように当該分割領域上に重ねてデスプールマーカを表示させる（ＳＣ２）。
【００４１】
また、前記第一領域マーカ表示手段１４は、前記進捗表示バー２０に、当該デジタル複写機１により生成されたジョブデータに対応する分割領域が含まれているときに（ＳＣ３）、当該分割領域上に重ねて領域マーカとしての特定色を表示する（ＳＣ４）。
【００４２】
ユーザにより前記操作表示部７を介して前記進捗表示バー２０における何れかの分割領域が指定されると（ＳＣ５）、第一簡易属性表示手段１６は、前記指定された分割領域に対応するジョブデータの簡易属性としてのファイルネームを前記操作表示部７に表示する（ＳＣ６）。
【００４３】
また、ユーザにより前記操作表示部７を介して前記進捗表示バー２０における何れかの分割領域が削除指定されると（ＳＣ７）、前記第一詳細属性表示手段１７は、前記削除指定された分割領域に対応するジョブデータの詳細属性としてのファイルネームや、当該ジョブデータを当該デジタル複写機１に入力した入力装置情報としてのデジタル複写機情報または情報処理装置情報、更には、ログインユーザネーム等を表示する（ＳＣ８）。
【００４４】
そして、前記進捗表示バー２０が前記操作表示部７に表示されている間、前記ステップＳＣ２から前記ステップＳＣ８が繰り返される（ＳＣ９）。
【００４５】
前記図１に戻り、前記ＰＣ側表示手段１３は、前記スプール情報に基づいて前記情報処理装置８ａに所定のマーカまたはジョブデータの属性を表示させるもので、前記進捗表示バー表示手段１１により表示された進捗表示バー２０の所定の分割領域に対して領域マーカを表示する第二領域マーカ表示手段２４と、デスプールされているジョブデータに対応する前記進捗表示バー２０の分割領域に対してデスプールマーカを表示する第二デスプールマーカ表示手段２５と、当該情報処理装置８ａを介してユーザにより指定された前記進捗表示バー２０の分割領域に対応するジョブデータの簡易属性を表示する第二簡易属性表示手段２６と、当該情報処理装置８ａを介してユーザにより削除指定されたジョブデータの詳細属性を表示する第二詳細属性表示手段２７とを備えて構成されている。
【００４６】
前記第二領域マーカ表示手段２４は、当該情報処理装置８ａに表示されている前記進捗表示バー２０における当該情報処理装置８ａから出力されたジョブデータに対応する分割領域に重ねて所定の領域マーカを表示するもので、当該分割領域に、例えば、特定色を表示するように構成されている。
【００４７】
前記第二デスプールマーカ表示手段２５は、当該情報処理装置８ａに表示されている前記進捗表示バー２０における前記スプール処理手段６により現在デスプールされているジョブデータに対応する分割領域に重ねて所定のデスプールマーカを表示するもので、例えば、前記分割領域が点滅して視認されるように当該分割領域上に重ねてデスプールマーカを表示するように構成されている。
【００４８】
第二簡易属性表示手段２６は、当該情報処理装置８ａを介してユーザにより指定された前記進捗表示バーの分割領域に対応するジョブデータの簡易属性を当該情報処理装置８ａに表示するもので、例えば、吹き出しにより当該ジョブデータのファイルネームを表示するように構成されている。
【００４９】
前記第二詳細属性表示手段２７は、当該情報処理装置８ａを介してユーザにより削除指定されたジョブデータの属性を当該情報処理装置８ａに表示するもので、例えば、当該ジョブデータのファイルネームや、当該ジョブデータを前記デジタル複写機１に入力した入力装置情報としてのデジタル複写機情報または情報処理装置情報、更には、ログインユーザネーム等を表示するように構成されている。
【００５０】
以下、前記ＰＣ側表示手段１３の動作について図９のフローチャートに基づいて説明する。前記進捗表示バー２０が当該情報処理端末８ａに表示されると（ＳＤ１）、前記第二デスプールマーカ表示手段２５は、当該情報処理端末８ａに表示されている前記進捗表示バー２０における前記スプール処理手段６により現在デスプールされているジョブデータに対応する分割領域が点滅して視認されるように当該分割領域上に重ねてデスプールマーカを表示させる（ＳＤ２）。
【００５１】
また、前記第二領域マーカ表示手段２４は、前記進捗表示バー２０に、当該情報処理装置８ａから出力されたジョブデータに対応する分割領域に対応する分割領域が含まれているときに（ＳＤ３）、当該分割領域上に重ねて領域マーカとしての特定色を表示する（ＳＤ４）。
【００５２】
ユーザにより当該情報処理装置８ａを介して前記進捗表示バー２０における何れかの分割領域が指定されると（ＳＤ５）、第二簡易属性表示手段２６は、前記指定された分割領域に対応するジョブデータの簡易属性としてのファイルネームを当該情報処理装置８ａに表示する（ＳＤ６）。
【００５３】
また、ユーザにより当該情報処理装置８ａを介して前記進捗表示バー２０における何れかの分割領域が削除指定されると（ＳＤ７）、前記第二詳細属性表示手段２７は、前記削除指定された分割領域に対応するジョブデータの詳細属性としてのファイルネームや、前記ジョブデータを前記デジタル複写機１に入力した入力装置情報としてのデジタル複写機情報または情報処理装置情報、更には、ログインユーザネーム等を表示する（ＳＤ８）。
【００５４】
そして、前記進捗表示バー２０が当該情報処理装置８ａに表示されている間、前記ステップＳＤ２から前記ステップＳＤ８が繰り返される（ＳＤ９）。
【００５５】
つまり、前記操作表示部７及び前記各情報処理装置８ａ、８ｂ、８ｃから前記デジタル複写機１に対してジョブデータをリクエストした各ユーザは、ユーザ毎に、それぞれリクエストしたジョブデータが何れのタイミングで処理されることとなるか、一目瞭然で認識することができる。
【００５６】
以下、別の実施形態について説明する。上述の実施形態では、前記第一領域マーカ表示手段１４が、前記操作表示部７に表示されている前記進捗表示バー２０における当該デジタル複写機１により生成されたジョブデータに対応する分割領域に重ねて領域マーカとしての特定色を表示した場合について説明したが、前記領域マーカは、特定色に限定するものではなく、種々の模様や、記号等を適宜選択することが可能である。また、前記操作表示部７に表示されている前記進捗表示バー２０における当該デジタル複写機１により生成されたジョブデータに対応する分割領域が複数あった場合に、前記第一領域マーカ表示手段１４が、個々の分割領域に対して異なる領域マーカを設定することが可能な構成としてもよい。例えば、前記ジョブデータの生成時に前記操作表示部７を介してユーザによる前記領域マーカの選択が可能な構成とし、後に生成する他のジョブデータの生成時に先に生成されたジョブデータに対して選択された領域マーカと同じ領域マーカについては選択が不可となるように構成すれば、確実に、個々の分割領域に対して異なる領域マーカを設定することができ、同じマーカが表示されることにより発生するジョブデータの誤認を防止することができる。また、ドライバ設定画面等を表示することで随時、領域マーカを設定することが可能な構成としてもよい。
【００５７】
上述の実施形態では、前記第二領域マーカ表示手段２４が、当該情報処理端末８ａに表示されている前記進捗表示バー２０における当該情報処理端末８ａにより出力されたジョブデータに対応する分割領域に重ねて領域マーカとしての特定色を表示した場合について説明したが、前記領域マーカは、特定色に限定するものではなく、種々の模様や、記号等を適宜選択することが可能である。また、当該情報処理端末８ａに表示されている前記進捗表示バー２０における当該情報処理端末８ａにより出力されたジョブデータに対応する分割領域が複数あった場合に、前記第二領域マーカ表示手段２４が、個々の分割領域に対して異なる領域マーカを設定することが可能な構成としてもよい。例えば、前記ジョブデータの出力時に当該情報処理端末８ａを介してユーザによる前記領域マーカの選択が可能な構成とし、後に出力する他のジョブデータの出力時に先に出力されたジョブデータに対して選択された領域マーカと同じ領域マーカについては選択が不可となるように構成すれば、確実に、個々の分割領域に対して異なる領域マーカを設定することができ、同じマーカが表示されることにより発生するジョブデータの誤認を防止することができる。また、ドライバ設定画面等を表示することで随時、領域マーカを設定することが可能な構成としてもよい。
【００５８】
上述の実施形態では、前記第一簡易属性表示手段１６が、前記操作表示部７を介してユーザにより指定された前記進捗表示バー２０の分割領域に対応するジョブデータの簡易属性を前記操作表示部７に表示した場合について説明したが、前記第一簡易属性表示手段１６は、当該デジタル複写機１で生成されたジョブデータに対応する前記進捗表示バー２０の分割領域が指定されたときにのみ、当該分割領域に対応するジョブデータの簡易属性を表示する構成としてもよい。無闇に他のジョブデータに対する簡易属性が表示されることにより発生する他のユーザにおける秘密情報の漏洩を防止することができる。
【００５９】
上述の実施形態では、前記第二簡易属性表示手段１６が、当該情報処理端末８ａを介してユーザにより指定された前記進捗表示バー２０の分割領域に対応するジョブデータの簡易属性を当該情報処理端末８ａに表示した場合について説明したが、前記第二簡易属性表示手段２６は、当該情報処理端末８ａから出力されたジョブデータに対応する前記進捗表示バー２０の分割領域が指定されたときにのみ、当該分割領域に対応するジョブデータの簡易属性を表示する構成としてもよい。無闇に他のジョブデータに対する簡易属性が表示されることにより発生する他のユーザにおける秘密情報の漏洩を防止することができる。
【００６０】
尚、上述した実施形態は、本発明の一例に過ぎず、本発明の作用効果を奏する範囲において各ブロックの具体的構成等を適宜変更設計できることは言うまでもない。
【図面の簡単な説明】
【００６１】
【図１】画像処理システムにおけるジョブデータのジョブ進捗状況表示にかかる機能ブロック構成の説明図
【図２】画像処理システムの全体構成の説明図
【図３】画像処理装置の要部の説明図
【図４】スプール処理を説明するためのフローチャート
【図５】進捗表示バー及び進捗表示バーガイドの説明図であり、（ａ）は分割領域一つで進捗表示バーを構成した場合の説明図、（ｂ）は分割領域四つで進捗表示バーを構成した場合の説明図、（ｃ）は分割領域がシフトした場合の説明図
【図６】進捗表示バー表示手段の動作を説明するためのフローチャート
【図７】（ａ）は領域マーカの説明図、（ｂ）はデスプールマーカの説明図、（ｃ）は簡易属性の説明図
【図８】画像装置側表示手段の動作を説明するためのフローチャート
【図９】ＰＣ側表示手段の動作を説明するためのフローチャート
【符号の説明】
【００６２】
１：デジタル複写機
３：ストレージデバイス
６：スプール処理手段
７：操作表示部
８ａ、８ｂ、８ｃ：情報処理端末
９：ＬＡＮ
１１：進捗表示バー表示手段
１２：画像装置側表示手段
１３：ＰＣ側表示手段
１４：第一領域マーカ表示手段
１５：第一デスプールマーカ表示手段
１６：第一簡易属性表示手段
１７：第一詳細属性表示手段
２４：第二領域マーカ表示手段
２５：第二デスプールマーカ表示手段
２６：第二簡易属性表示手段
２７：第二詳細属性表示手段
【図１】
2006350674.tif 000003
【図３】
2006350674.tif 000004
【図４】
2006350674.tif 000005
【図５】
2006350674.tif 000006
【図６】
2006350674.tif 000007
【図７】
2006350674.tif 000008
【図８】
2006350674.tif 000009
【図９】
2006350674.tif 000010
【図２】
2006350674.tif 000011